(57)【要約】【課題】  本発明は、押圧操作時にキートップに発生するガタ付きを無くして操作フィーリングに優れたキーボードスイッチを提供すること。【解決手段】  本発明に係わるキートップ７の裏面７ｂには、第１レバー４の他端部側に形成した回動軸４ｅを回動自在に支持可能な回動支持部８と、第２レバー５の他端部側に形成したスライド軸５ｆをスライド自在に支持可能なスライド支持部１０とが形成され、キートップ７裏面７ｂ、または第１、第２レバーのそれぞれの他端部側の第１、第２桟部４ｄ、５ｅには、キートップ７と第１、第２レバー４、５のそれぞれの他端部の第１、第２桟部４ｄ、５ｅとの間で発生するガタ付きを防止可能なガタ防止部９、１１が形成されている。【選択図】        図２
2006127801.tif 000002
【特許請求の範囲】
【請求項１】
ベースプレートと、互いの交叉部位を回動自在に組み合わせた状態でそれぞれの一端部側を前記ベースプレートに支持する第１、第２レバーと、前記第１、第２レバーの前記他端部側に支持されて昇降自在のキートップと、このキートップを上方に弾性付勢する弾性部材とを備え、
前記キートップの裏面には、前記第１レバーの他端部側を回動自在に支持可能な回動支持部と、前記第２レバーの他端部側をスライド自在に支持可能なスライド支持部とが形成され、前記キートップの前記裏面、または前記第１、第２レバーのそれぞれの前記他端部側には、前記キートップと前記第１、第２レバーのそれぞれの前記他端部との間で発生するガタ付きを防止可能なガタ防止部が形成されていることを特徴とするキーボードスイッチ。
【請求項２】
前記回動支持部は、所定の間隔を有して一対形成され、前記第１レバーの前記他端部側には、前記一対の回動支持部に係合支持可能な横長状の第１桟部が形成され、前記第１桟部は、横長方向の両端部が前記一対の回動支持部に回動自在に係合支持され、前記スライド支持部は、所定の間隔を有して一対形成され、前記第２レバーの前記他端部側には、前記一対のスライド支持部にスライド支持可能な横長状の第２桟部が形成され、前記第２桟部は、横長方向の両端部が前記一対のスライド支持部にスライド自在に支持され、
前記第１、第２桟部の横長方向の少なくとも中央部付近は、前記ガタ防止部によって、前記キートップの裏面から離れる方向に弾性変形可能になっていることを特徴とする請求項１記載のキーボードスイッチ。
【請求項３】
前記ガタ防止部は、前記第１、第２桟部の少なくとも前記中央部付近と対向する部分の前記キートップ裏面に突出形成され、この突出寸法は、前記回動支持部及び前記スライド支持部に支持した前記第１、第２桟部のガタ寸法と同等以上に形成されていることを特徴とする請求項２記載のキーボードスイッチ。
【発明の詳細な説明】
【技術分野】
【０００１】
本発明は、キーボード装置に用いられるキースイッチに係わり、特に一対のレバーでキートップを昇降自在に支持するキースイッチに関する。
【背景技術】
【０００２】
従来、パソコン等の入力機器に使用されるキーボードスイッチ２１は、図５に示すように、最下部には、アルミ等の金属板からなるベースプレート２２が配設され、このベースプレート２２の図示右側には、第１の係合部２２ａが突出形成されている。
前記回動係合部２２ａには、２つの係合壁２２ｂ、２２ｂが、係合溝２２ｃを挟んで互いに対向して形成されている。また、回動係合部２２ａの図示左側には、一方側が開放されて略Ｌ字状のスライド係合部２２ｄが形成されている。
【０００３】
前記ベースプレート２２上に載置されたメンブレンスイッチ２３は、第１、第２、第３シート部材２３ａ、２３ｂ、２３ｃが積層され、後述する弾性部材２７の接点押圧部２７ｂが対向する位置の第２シート部材２３ｂには、円形状の孔が形成され、この孔が位置する部分の第１シート部材２３ａには、可動接点２３ｅが形成され、この可動接点２３ｅと対向する側の第３シート部材２３ｃには、一対の固定接点２３ｆが形成されている。
そして、メンブレンスイッチ２３には、回動係合部２２ａとスライド係合部２２ｄが貫通可能な孔（図示せず）がそれぞれ形成され、この孔に回動係合部２２ａとスライド係合部２２ｄがが挿入されて、メンブレンスイッチ２３がベースプレート２２上に載置されている。
【０００４】
また、メンブレンスイッチ２３上には、パンタグラフ状に組み合わされた第１と第２のリンク部材２４、２５が配設されている。前記第１リンク部材２４は、平面視の形状がコ字状に形成され、図示右側の下端部２４ａに、第１軸部２４ｂが突出形成されている。
前記第１リンク部材２４の図示左側の上端部２４ｃには、第２軸部２４ｄが突出形成されている。
また、第１リンク部材２４の下端部２４ａと上端部２４ｃとの間には、軸支部２４ｅが形成されている。
また、第２リンク部材２５は、図示右側の上端部２５ａから、第１軸部２５ｂが突出形成され、図示左側の下端部２５ｃからは、第２軸部２５ｄが突出形成されている。
【０００５】
前記第２リンク部材２５には、第１リンク部材２４の軸支部２４ｅに嵌合可能な軸支部２５ｆが形成されている。
そして、第２リンク部材２５の軸支部２５ｆを第１リンク部材２４の軸支部２４ｅに嵌合させて組み合わせることで、第１と第２のリンク部材２４、２５がパンタグラフ状に組み合わされている。
また、第１リンク部材２４の第１軸部２４ｂがベースプレート２２の回動係合部２２ａに回動可能に支持され、第２リンク部材２５の第２軸部２５ｄがベースプレート２２のスライド係合部２２ｄにスライド可能に支持されている。
【０００６】
また、第１と第２のリンク部材２４、２５の上部にはキートップ２６が支持されており、このキートップ２６は、その裏面２６ａの図示右側に、回動係合部２６ｂが２つの係合壁２６ｃ、２６ｃを有して形成され、回動係合部２６ｂに第２リンク部材２５の第１軸部２５ｂが回動自在に係合している。
また、キートップ２６裏面２６ａの図示左側には、一方側が開放されて略Ｌ字状のスライド係合部２６ｄが形成され、このスライド係合部２６ｄに第１リンク部材２４の第２軸部２４ｄがスライド自在に係合している。
【０００７】
また、キートップ２６裏面２６ａの略中央部には、キートップ２６を上方に弾性付勢するゴムからなる弾性部材２７が配設されている。この弾性部材２７は、ベースプレート２２上のメンブレンスイッチ２３の第１シート部材２３ａに接着剤等で固着されている。
前記弾性部材２７は、内部に形成されたドーム状の空洞部２７ａの天井部に、下方に突出する凸部２７ｂが形成されている。
前記弾性部材２７は、内部がドーム状に形成された空洞部２７ａの天井部に接点押圧部２７ｂが形成されると共に、上端部２７ｃがキートップ２６の裏面２６ａに位置決めされている。
【０００８】
前述のような従来のキーボードスイッチ２１は、キートップ２６を下方に押圧すると、パンタグラフ状の第１と第２のリンク部材２４、２５が、それぞれの係支部２４ｅ、２５ｆを支点として回動する。
それと同時に、降下するキートップ２６が弾性部材２７を変形させることにより、空洞部２７ａ内の接点押圧部２７ｂが降下して、第１シート部材２３ａを押圧する。
そして、可動接点２３ｅが固定接点２３ｆ、２３ｆと接触してスイッチ回路がＯＮして切り換わる。
【０００９】
しかる後、キートップ２６の押圧を解除すると、弾性部材２７の弾性力により、キートップ２６が上方の初期位置に戻ると共に、第１、第２リンク部材２４、２５も上昇する。そして、メンブレンスイッチ２３の第１シート部材２３ａは、自己の復元力で初期状態に戻り、可動接点２３ｅと固定接点２３ｆ、２３ｆとの接触が離れて、スイッチ回路がＯＦＦに切り換わる。
従来のキーボードスイッチ２１は、キートップ２６裏面２６ａのスライド係合部２６ｄとこのスライド係合部２６ｄに係合する第１リンク部材２４の第２軸部２４ｄとの間、また、回動係合部２６ｂとこの回動係合部２６ｂに係合する第２リンク部材２５の第１軸部２５ｂとの間のそれぞれが、スムーズにスライド及び回動させるために、若干のガタ嵌合となるようにしている。
【特許文献１】特開平１２−１４８３５６号公報
【発明の開示】
【発明が解決しようとする課題】
【００１０】
従来のキーボードスイッチ２１は、スライド係合部２６ｄと第１リンク部材２４の第２軸部２４ｄとの嵌合、及び回動係合部２６ｂと第２リンク部材２５の第１軸部２５ｂとの嵌合がきつい場合は、押圧操作するキートップ２６が動かなくなるおそれがあったので、それぞれの部品間に若干のガタを形成していた。
しかし、部品寸法のバラツキ等でそれぞれの間のガタが大きくなると、押圧操作するキートップ２６にガタ付きが発生して、操作者の指に伝わる操作フィーリングが悪くなる問題があった。
本発明は前述したような問題点を解決して、押圧操作時にキートップに発生するガタ付きを無くして操作フィーリングに優れたキーボードスイッチを提供することを目的とする。
【課題を解決するための手段】
【００１１】
前記課題を解決するための第１の手段として本発明のキーボードスイッチは、ベースプレートと、互いの交叉部位を回動自在に組み合わせた状態でそれぞれの一端部側を前記ベースプレートに支持する第１、第２レバーと、前記第１、第２レバーの前記他端部側に支持されて昇降自在のキートップと、このキートップを上方に弾性付勢する弾性部材とを備え、
前記キートップの裏面には、前記第１レバーの他端部側を回動自在に支持可能な回動支持部と、前記第２レバーの他端部側をスライド自在に支持可能なスライド支持部とが形成され、前記キートップの前記裏面、または前記第１、第２レバーのそれぞれの前記他端部側には、前記キートップと前記第１、第２レバーのそれぞれの前記他端部との間で発生するガタ付きを防止可能なガタ防止部が形成されていることを特徴とする。
【００１２】
また、前記課題を解決するための第２の手段として、前記回動支持部は、所定の間隔を有して一対形成され、前記第１レバーの前記他端部側には、前記一対の回動支持部に係合支持可能な横長状の第１桟部が形成され、前記第１桟部は、横長方向の両端部が前記一対の回動支持部に回動自在に係合支持され、前記スライド支持部は、所定の間隔を有して一対形成され、前記第２レバーの前記他端部側には、前記一対のスライド支持部にスライド支持可能な横長状の第２桟部が形成され、前記第２桟部は、横長方向の両端部が前記一対のスライド支持部にスライド自在に支持され、
前記第１、第２桟部の横長方向の少なくとも中央部付近は、前記ガタ防止部によって、前記キートップの裏面から離れる方向に弾性変形可能になっていることを特徴とする。
【００１３】
また、前記課題を解決するための第３の手段として、前記ガタ防止部は、前記第１、第２桟部の少なくとも前記中央部付近と対向する部分の前記キートップ裏面に突出形成され、この突出寸法は、前記回動支持部及び前記スライド支持部に支持した前記第１、第２桟部のガタ寸法と同等以上に形成されていることを特徴とする。
【発明の効果】
【００１４】
本発明のキーボードスイッチの軸部は、キートップの裏面、または第１、第２レバーのそれぞれの他端部側には、キートップと第１、第２レバーのそれぞれの他端部との間で発生するガタ付きを防止可能なガタ防止部が形成されているので、押圧操作するキートップにガタ付きが発生することなく、操作フィーリングに優れたキーボードスイッチを提供できる。
【００１５】
また、第１、第２桟部の横長方向の少なくとも中央部付近は、ガタ防止部によって、キートップの裏面から離れる方向に弾性変形可能になっているので、キートップと第１、第２レバーとの間で発生するガタ付きを確実に防止することができる。
【００１６】
また、ガタ防止部は、第１、第２桟部の少なくとも中央部付近と対向する部分のキートップ裏面に突出形成され、この突出寸法は、回動支持部及びスライド支持部に支持した第１、第２桟部のガタ寸法と同等以上に形成されているので、更に確実にガタ付きを防止できる。
【発明を実施するための最良の形態】
【００１７】
本発明は、パーソナルコンピュータ等の入出力機器に使用されるキーボード装置等に用いて好適なキーボードスイッチに関し、本発明のキーボードスイッチ１を図１〜図３に基づいて説明する。
図１は本発明に関するキーボードスイッチの分解斜視図であり、図２は本発明に係わるキートップの背面図であり、図３は本発明のキーボードスイッチの要部断面図である。
【００１８】
まず、本発明のキーボードスイッチ１は、図１に示すように、最下部に、所定厚さのアルミ等の金属板からなるベースプレート２が配設され、このベースプレート２には、図示手前側に矩形状の第１抜き孔２ａが形成され、この第１抜き孔２ａの奥部に、寸法Ａの隙間を有して一対のスライド支持部２ｂ、２ｂが所定高さで切り曲げ形成されている。
前記スライド支持部２ｂは、図示手前側の一方側が開放されて、この開放部分に後述する第１レバー４の第１軸部４ｂをスライド係合可能になっている。
【００１９】
また、ベースプレート２の図示奥側には、所定の間隔を有して対称形状の一対の第２抜き孔２ｃ、２ｃが形成され、この第２抜き孔２ｃには、一方の側部の一部を切り起こしして、略Ｌ字状の開放部を有する回動支持部２ｄ、２ｄがそれぞれ形成されている。
また、第２抜き孔２ｃには、回動支持部２ｄと対向する他方の側部の一部が切り起こしされて、抜け止め部２ｅがそれぞれ形成されている。
前記回動支持部２ｄは、略Ｌ字状の開放部に、後述する第２レバー５の第２支持ピン５ｂを係合支持すると、抜け止め部２ｅで抜け止めされるようになっている。
【００２０】
前記ベースプレート２上には、フィルムシート３が載置され、このフィルムシート３は、ベース部材２のスライド支持部２ｂが層通可能な第１抜き孔３ａと、回動支持部２ｄおよび抜け止め部２ｅが層通可能な一対の第２抜き孔３ｂとが形成されている。
前記第１、第２抜き孔３ａ、３ｂ間のフィルムシート３の上面には、固定接点からなるスイッチ部（図示せず）が形成され、このスイッチ部上に、内部がドーム状の空洞部（図示せず）を有する後述する弾性部材６が配設されている。
また、フィルムシート３上には、パンタグラフ状に組み合わされた第１、第２レバー４、５が配設されている。
【００２１】
前記第１レバー４は、外形が略矩形状の支持基部４ａが形成され、この支持基部４ａの図示手前の一端部側に、ベース部材２のスライド支持部２ｂに係合支持可能な軸部４ｂが、図示左右方向の横長状に形成されている。
前記軸部４ｂは、横長方向の両端部と中央部が連結部４ｃに連結され、中央部の連結部４ｃの幅寸法は、ベースプレート２に形成した一対のスライド支持部２ｂ、２ｂ間の隙間寸法Ａより同等以下に形成されている。
【００２２】
また、第１レバー４は、支持基部４ａの図示奥の他端部側に横長状の第１桟部４ｄが形成され、この第１桟部４ｄの横長方向の左右両端部から一対の第１支持ピン４ｅが突出形成され、この第１支持ピン４ｅが後述するキートップ７の回動支持部８回動自在に係合支持可能になっている。
また、支持基部４ａの図示左右の側壁４ｆ、４ｆの略中央部付近には、後述する第２レバー５の嵌合溝からなる交叉部位５ｂに嵌合可能な連結ピンからなる交叉部位４ｇ、４ｇが外向きに突出形成されている。
【００２３】
また、支持基部４ａは、中央部に層通孔４ｈが貫通形成されて、後述する弾性部材６が挿通可能になっている。
また、第１レバー４には、軸部４ｂ、４ｂを形成した部分の図示奥側に、ベースプレート２に形成した２つのスライド支持部２ｂ、２ｂが挿通可能な挿通孔４ｊ、４ｊが形成されている。
そして、切り曲げ形成されて開放されたスライド支持部２ｂに、挿通孔４ｊを挿入して挿通すると、軸部４ｂがスライド支持部２ｂにスライド自在に支持されるようになっている。
【００２４】
また、第１レバー４の外側には、第１レバー４を囲むような形状に形成された第２レバー５が配設されている。
前記第２レバー５は、第１レバー４の側壁４ｆと対向する外側に一対の腕部５ａ、５ａが形成され、この腕部５ａの長手方向における略中央部に、第１レバー４の交叉部位４ｇが嵌合支持可能な嵌合溝からなる交叉部位５ｂ、５ｂが形成されている。
【００２５】
また、一対の腕部５ａは、図示奥の一端部側に形成した横長状の連結軸５ｃに連結され、この連結軸部５ｃから図示左右の外側に向けて回動軸５ｄが突出形成されている。そして、回動軸５ｄをベースプレート２の回動支持部２ｄに係合させると、回動軸５ｄが抜け止め部２ｅで抜け止めされる。
このことで、第２レバー５は、回動軸５ｄを支点として回動自在になっている。
【００２６】
また、一対の腕部５ａは、図示手前の他端部側に形成した第２桟部５ｅに連結されて、第２レバー５の外形が矩形状に形成されている。
また、第２桟部５ｅから図示左右の外側に向けてスライド軸５ｆが突出形成され、このスライド軸５ｆが後述するキートップ７のスライド支持部１０にスライド支持可能になっている。
そして、第１、第２レバー４、５は、互いの交叉部位４ｇ、５ｂを回動自在に組み合わせて、それぞれの一端部側の軸部４ｃ、第２支持ピン５ｄをベースプレート２に支持することにより、パンタグラフ状になっている。
【００２７】
また、フィルムシート３の第１、第２抜き孔３ａ、３ｂ間に形成されたスイッチ部（図示せず）上には、ゴム等からなる弾性部材６が配設され、この弾性部材６の台座部６ａがフィルムシート３に接着剤等で固着されている。
前記弾性部材６は、内部にドーム状の空洞部（図示せず）を有し、頂部６ｂがリング状に形成され、この頂部６ｂが後述するキートップ７によって押圧されると弾性変形して、内部の空洞部の天井部に形成したスイッチ操作部（図示せず）がフィルムシート３に形成したスイッチ部を押圧して、スイッチ回路が切り換わるようになっている。
【００２８】
前記弾性部材６上には、樹脂材料等からなるキートップ７が配設され、このキートップ７は、矩形状の操作面７ａと対向する裏面７ｂに、図２に示すように、放射状の嵌合部７ｃが形成され、この嵌合部７ｃが弾性部材６の頂部６ｂに圧入等で取り付けられている。
また、嵌合部７ｃの図示手前側の裏面７ｂには、第１レバー４の第１桟部４ｂの横長方向の両端部に形成した回動軸４ｅ、４ｅを回動自在に支持可能な回動支持部８、８が形成されている。
この回動支持部８は、所定の隙間を有して互いに対向する支持壁８ａ、８ａを有し、この支持壁８ａ、８ａ間に第１レバー４の回動軸４ｅをスナップ支持可能な支持部８ｂが形成されている。
【００２９】
また、一対の回動支持部８、８間の裏面７ｂ上には、突起状の第１ガタ防止部９が嵌合部７ｃ方向に延びて形成されている。そして、回動支持部８、８に回動軸４ｅを係合させた第１レバー４は、他端部側の第１桟部４ｄが第１ガタ防止部９に当接、または押圧されて、キートップ７の裏面７ｂから離れる方向に弾性付勢可能になっている。
そのために、回動軸４ｅ、または支持部８ｂが、成形加工時の部品寸法のバラツキ等により、係合支持した回動軸４ｅと支持部８ｂとの間に上下方向のガタ付きが有ったとしても、このガタ付きを第１ガタ防止部９で防止できるようになっている。
【００３０】
また、嵌合部７ｃの図示奥側の裏面７ｂには、図２に示すように、第２レバー５の第２桟部５ｅの横長方向の両端部に形成したスライド軸５ｆ、５ｆをスライド自在に支持可能な一対のスライド支持部１０、１０が形成されている。
前記スライド支持部１０は、裏面７ｂから所定高さで突出する支持壁１０ａを有し、この支持壁１０ａには、図３に示すように、断面形状が略Ｌ字状の支持部１０ｂａが内向きに形成されている。
【００３１】
また、一対のスライド支持部１０、１０間の裏面７ｂ上には、第１ガタ防止部９と同形状の第２ガタ防止部１１が嵌合部７ｃ方向に延びて形成されている。
そして、スライド支持部１０、１０の支持部１０ｂ、１０ｂにスライド軸５ｆ、５ｆを係合させた第２レバー５は、図３に示すように、他端部側の第２桟部５ｅが第２ガタ防止部１１に当接、または押圧されて、キートップ７の裏面７ｂから離れる方向に弾性変形可能になっている。
【００３２】
前記第１、第２ガタ防止部９、１１の突出高さは、回動支持部８およびスライド支持部１０に支持した第１および第２桟部４ｄ、５ｅのガタ寸法と同等以上の寸法に形成されている。そのために、第１、第２ガタ防止部９、１１は、回動支持部８およびスライド支持部１０に支持した第１および第２桟部４ｄ、５ｅの横長方向の中央部付近に常時当接、または押圧するようになっているので、部品寸法にバラツキがあったとしても、押圧操作するキートップ７にガタ付きが発生するのを防止できるようになっている。
【００３３】
そして、第１、第２レバー４、５に支持されたキートップ７は、弾性部材６の付勢力で、図３に示すような所定高さまで上昇して、押圧操作前の初期状態になっている。この時の第１、第２レバー４、５は、キートップ７と共に上昇してパンタグラフ状になっている。
【００３４】
このような構成の本発明のキーボードスイッチ１の操作方法を説明すると、弾性部材６の付勢力で初期状態の高さに位置しているキートップ７の操作面７ａを操作者が下方に押圧操作して降下させる。
すると、キートップ７は、第１ガタ防止部９が第１レバー４の第１桟部４ｄを押圧すると共に、第２ガタ防止部１１が第２レバー５の第２桟部５ｅを押圧する。そのために、押圧操作するキートップ７にガタ付きが発生することがなく、キートップ７を押圧する操作者の指に、良好な操作フィーリングを伝達することができる。
【００３５】
前記キートップ７を下方に押圧操作することで、パンタグラフ状をしていた第１、第２レバー４、５が、それぞれの交叉部位４ｇ、５ｂを支点として回動して、ベースプレート２上のフィルムシート３上に傾倒する。
同時に降下するキートップ７に押圧されて弾性部材６が弾性変形し、空洞部内に形成した可動接点（図示せず）がフィルムシート３に形成した固定接点からなるスイッチ部に当接してスイッチ回路が切り換わる。
【００３６】
また、キートップ７に加えていた押圧荷重を解除すると、弾性部材６の付勢力によってキートップ７が初期状態まで上昇し、第１、第２レバー４、５がパンタグラフ状に自動復帰する。
このような本発明のキーボードスイッチ１は、第１、第２ガタ防止部９、１１によって、第１、第２レバー４、５とキートップ７との間のガタ付きを防止することができ、良好な操作フィーリングを得ることができる。
【００３７】
尚、本発明の実施の形態の説明では、第１、第２ガタ防止部９、１１が第１、第２桟部４ｄ、５ｅの中央部付近に当接、または押圧するように説明したが、第１、第２桟部４ｄ、５ｅの中央部付近からずれた位置、または２箇所を当接、押圧するようにしたものでも良い。
即ち、第１、第２桟部４ｄ、５ｅの横長方向の少なくとも中央部付近は、第１、第２ガタ防止部９、１１によって、キートップ７の裏面７ｂから離れる方向に弾性変形可能になっている。
【００３８】
また、本発明の実施の形態では、それぞれのガタ止部９、１１をキートップ７の裏面７ｂに形成したもので説明したが、ガタ防止部は、第１、第２レバー４、５の他端部側の第１、第２桟部４ｄ、５ｅに形成して、キートップ７の裏面７ｂに当接、または押圧するようにしたものでも良い。
【図面の簡単な説明】
【００３９】
【図１】本発明に関するキーボードスイッチの分解斜視図である。
【図２】本発明に係わるキートップの背面図である。
【図３】本発明のキーボードスイッチの要部断面図である。
【図４】従来のキーボードスイッチの要部断面図である。
【符号の説明】
【００４０】
１  本発明のキーボードスイッチ
２  ベースプレート
２ｂ  スライド支持部  
３  フィルムシート  
４  第１レバー
４ａ  支持基部
４ｂ  軸部
４ｃ  連結部
４ｄ  第１桟部
５  第２レバー
６  弾性部材
７  キートップ
７ｂ  裏面
７ｃ  嵌合部
８  回動支持部
８ａ  支持壁
８ｂ  支持部
９  第１ガタ防止部
１０  スライド支持部
１０ａ  支持壁
１０ｂ  支持部
１１  第２ガタ防止部
【図１】
2006127801.tif 000003
【図２】
2006127801.tif 000004
【図３】
2006127801.tif 000005
【図４】
2006127801.tif 000006